(57)【要約】【課題】自然エネルギ−利用の太陽光発電の最も大きな課題は、３０％前後の低い変換効率であり、従って大きなな面積を必要とし、投資効果も悪い上に、自然現象に左右され、熱帯地方の高温環境では効率低下と同時に、耐用年数も縮小される事から言えば、良いところは全く無いが、現状の低炭素化社会では、他に変わる素材も無い。【解決手段】これらの数多い課題は、単に太陽光発電単独種の枠の中での課題解消は不可能であり、風力発電と太陽光発電の合体で、課題の全てが解決され、発電効率向上には風力タ−ビン翼の複合効果で光反射による照射で発電効率向上と、太陽光パネル自体の回転で加熱による効率ロスも解消され、同時に風力発電と太陽光発電の両者の電力が集約されて、５０％効率目標の国家政策も夢ではない。【選択図】図１
2014103131.tif 000002
【特許請求の範囲】
【請求項１】
※図１  前記電極スリップリング（８）と
太陽光パネル（１）がパネル受け台（２）に装着され、前記パネル受け台（２）の中心には回転軸（３）が回転軸受け（４）によって回転可能状態で装着され、前記パネル受け台（２）の周囲には、風圧受け面（５）を持って、前記回転軸（３）中心に一定長さ巾と湾曲を持たせた上で、前記太陽光パネル（１）に面した部位が、光反射面（６）とした垂直又は外側傾斜の風力タ−ビン翼（７）が装着される。
前記太陽光パネル（１）の発電電力の誘導は、前記回転軸（３）に固着の電極スリップリング（８）に結続され、本体枠（９）に絶縁固着された電極端子（１０）が加圧接触導電してパワ−コントロ−ラ−（１１）で変換、又は直接バッテリ−（１２）誘導して変換されて蓄電するが、その経路にはこだわらない。
前記風力タ−ビン翼（７）で回転する前記回転軸（３）は、装着される増速機付き発電機（１３）と、直接又間接的に接合回転し、風力発電電力も前記パワ−コントロ−ラ−（１１）で変換、又は前記バッテリ−（１２）に蓄電等は前記太陽光パネル（１）による発電と同様である。
前記バッテリ−（１２）の余剰電力も、必要有れば前記パワ−コントロ−ラ−（１１）で目的電力と電圧に変換して供給される、太陽光及び風力合体の発電装置。
【請求項２】
※図２
前記太陽光パネル（１）の形状が、傘状太陽光パネル（１４）の、請求項１記載の太陽光及び風力合体の発電装置。
【請求項３】
※図３
前記風力タ−ビン翼（７）の装着角度が、自由に変化可能な、請求項１記載の太陽光及び風力合体の発電装置。
【請求項４】
※図４
太陽光パネル（１）の前記パネル受け台（２）は前記本体枠（９）に固定され、前記風力タ−ビン翼（７）はタ−ビン翼単独回転枠（１５）によって回転する、太陽光及び風力合体の発電装置。
【請求項５】
※図５
太陽光パネル（１）の上面に必然的に付着する塵埃清掃除去の為、高圧洗浄散水装置（１６）が装着された太陽光及び風力合体の発電装置。
【発明の詳細な説明】
【技術分野】
【０００１】  グロ−バルな環境保全目的の地球温暖化防止における、自然エネルギ−による発電分野である。【０００２】  太陽光発電におけるエネルギ−の変換率の増大を図る。【０００３】  従来の太陽光発電と風力発電の、各単独発電から一歩進んで、両者合体発電を、雨天曇天と無風時には、下記「発明の開示」の水槽回転水力発電との合体で、３６５日２４時間発電も可能である。
【発明の開示】
【０００４】
【特許文献】特願２００９−２５５４９４
【特許文献】特願２００９−２５４４１９
【発明が解決しようとする課題】
【０００５】  太陽光発電の最も大きな課題は発電効率の低さであると同時に、効率の低さから莫大な設置面積を要し、必然的に土地面積を含めて、設備のト−タルコストの高騰に繋がる。
【０００６】  太陽光発電は、赤道直下の極暑地域国では、設備投資が莫大な上に太陽光発電の欠点である高温環境での変換効率の低下である。
【０００７】  太陽光発電は、当然ながら雨天曇天では意味がなく、天候地域差で大きな効率格差が有る事は周知の事実である。
【０００８】  風力発電も、独立的発電しか思考されず、しかも大型機１機１億円前後の投資も、タ−ビンの低周波音による生活環境との摩擦が有り、小型機では風速との関係もあり、効率が非常に悪く、実用性が低い。
【０００９】  従って、一定量の水槽水の僅かな水量の循環で発電する水力発電が望まれていたが、水力発電では相当量の流水が絶対条件で有る。
【００１０】  水力発電に至っては、河川の流水が必需であるが、わが国では大昔からの水の利権が絡み合って思うように行かないことは、海洋の大潮時期の波打ち際迄が漁業権の主張で補償要求権利と大差は無い。
【課題を解決するための手段】
【００１１】  自然エネルギ−利用の発電は天候任せで、思う通りにならないことは致し方が無いが、これらの太陽光発電の物性的課題を、全て理化学的に急速に解決して、発電効率を１０％乃至２０％上昇させる事は不可能であり、仮に将来、発電効率５０％が可能であっても、地球はそれまで待ってくれない。
【００１２】  地球が待ってくれないならば、太陽光発電の課題の全てを同時に解決するしかない。製造コストは新興国で生産すれば一時的には凌げるが継続性は無い。
【００１３】  そこで、自然エネルギ−利用発電の、つまり太陽光発電、風力発電の２者合体発電を、或は河川に頼らない水槽水循環による水力発電の３者混合発電も可能で、課題解消には大きなメリットが生まれる。
【００１４】  太陽光発電の最大の課題である変換効率は、只単に大面積のミラ−反射板を創設しても反射光によって光源増加で確かに変換効率は上昇するが、大きなミラ−反射板自体は何も産んでくれず、増大コストの償却は困難である。
【００１５】  赤道直下の極暑や船舶の極暑海域で高温下での受熱による電気的磯能劣化も、自然的熱放散では意味が無く、冷却ファンなど設置すればその消費電力は賄えずマイナスとなる。
【００１６】  太陽光メガ発電所の実施や構想が各地で表明されているが、黄砂や火山噴煙降灰、其の他天から降りしきる有害塵埃、放置すればそれでなくても低い変換率が尚低くなり、同時に耐用年数低下にも繋がる。
【００１７】  風力発電の大型タ−ビン翼の回転が、風力発電支柱を通過する度に風圧と気圧差で起きる低周波音は、特種体質者のみならず、２４時間に１００００回もされされれば、人体に以上を来す事はヨ−ロッパでは周知の事実で、回避すべきである、
【００１８】  されば陸上から海洋にと、海洋風力メガ発電も実施され、又計画もいくつか有るが、陸上でも強固な基礎設置で莫大は費用が投じられているが、海上の設置費用は陸上基礎の３倍以上も掛かり、その上、わが国では漁業補償迄の慣習が有る。
【００１９】  これらの全ての課題解決を、一つの設備で、充分に解消出来たのが本発明であり、今後のエネルギ−発展に大きく貢献する。
【００２０】  詳細は後述するが、言い換えれば太陽光と風力の両者の自然エネルギ−利用を同時に一体化すれば解決する。
【００２１】  風が吹けば、風力タ−ビン翼（７）が風を受けて太陽光パネル（１）と共に回転し、回転風圧で太陽光パネル（１）は自動冷却され、風力タ−ビン翼（７）の光反射面（６）により、太陽光は増大照射で発電効率増加、散水又は降雨で自動ブラッシング洗浄、同時に太陽光パネル（１）と増速機付き発電機（１３）の合体で発電量も増加する。
【００２２】  風力タ−ビン翼（７）の傾斜角度の変更で、グロ−バルな太陽軌道の地域格差と、四季の太陽軌道変化に対応可能なタ−ビン翼傾斜変更機（１７）で適正反射角度が得られる。
【００２３】  無風で太陽光が降り注ぐ時は、風力タ−ビン翼（７）が停止することは自然現象、しかし、無風で停止している風力タ−ビン翼（７）の光反射面（６）は、が停止していても、太陽光は反射光で受光増大照射で発電効率は増加する。
【００２４】  小川も河川も湖沼も、水気は全く無い市街地で、雨天曇天の無風状態で発電する太陽光発電や風力発電のシステムは世界中で絶対的皆無である事は周知の事実である。
【００２５】  しかし、この時にこそ、前記「発明の開示」記載の回転水槽落下重量による発電「特願２００９−２５５４９４」「特願２００９−２５４４１９」がパワ−を発揮する。
【発明の効果】
【００２６】  風力タ−ビン翼（１）の微細な湾曲の光反射面（６）の作用で、太陽位置が傾斜角にあっても、太陽光パネル（１）の全域に太陽が傾斜しても反射照射で、発電効率は上昇。
【００２７】  風力タ−ビン翼（１）が回転し、太陽光パネル（１）が停止する「請求項４」は、光反射面（６）からの反射光は、太陽光パネル（１）の全面に反射照射するような、湾曲面状で、発電効率が上昇する。
【００２８】  風力タ−ビン翼（７）の光反射面（６）が、平面状や「請求項２」の傘状の太陽光パネルの適正位置に、タ−ビン翼傾斜変更機（１７）で適正な反射照射が出来る。
【００２９】  従って、傘状太陽光パネル（１４）でも、平面パネルと同一の設置面積でも、太陽光パネル（１）発電有効面積が増大し、発電効率が上昇する。
【００３０】  太陽光パネル（１）上面に付着の塵埃は、太陽光パネル（１）も回転する場合、或は固定停止する場合でも、定期的に高圧洗浄散水装置（１６）で散水洗浄が可能で発電効率低下を防止する。
【００３１】  風力タ−ビン翼（７）の回転でも、増速機付き発電機で発電し、太陽光パネル（１）の発電に加算され、発電量が上昇する。
【００３２】  太陽光パネル（１）も回転する場合、或は固定停止する場合でも、太陽光パネル（１）の裏面は、自己回転、或はタ−ビン翼単独回転枠（１５）による空気流速で冷却し発電効率低下を防止する。
【発明の実施するための最良の形態】
【００３３】「請求項１」を図１によって説明すれば、本発明の太陽光発電と風力発電の合体で、太陽光発電の課題の全てを解消する、否、それ以上の効果を発揮する最良の構成である。
【００３４】  太陽光パネル（１）は、鋼製のパネル受け台（２）に装着され、前記パネル受け台（２）の中心には回転軸（３）がベアリング等の回転軸受け（４）によって回転可能状態で装着される。
【００３５】  前記パネル受け台（２）の周囲には、風圧を受け止め易い様に、出来るだけ幅広い溝等の風圧受け面（５）を持って、尚且、前記太陽光パネル（１）側の前記回転軸（３）中心側面で一定長さ巾と湾曲面を持たせて、前記太陽光パネル（１）の全面上に光反射を可能とし、太陽の位置や軌道変化のも対応した、垂直又は回転軸（３）の外側に向かって傾斜した風力タ−ビン翼（７）が装着される。
【００３６】  回転する前記太陽光パネル（１）によって発電した電力は、電力相応の電線によって、前記回転軸（３）に絶縁固着の電極スリップリング（８）に結続され、本体枠（９）に絶縁固着された電極端子（１０）によって接触導電してパワ−コントロ−ラ−（１１）で変換、又は直接バッテリ−（１２）に蓄電下後での変換等は自由で有る。
【００３７】  前記風力タ−ビン翼（７）で回転する前記回転軸（３）は、装着される増速機付き発電機（１３）と間接結合又は直結接合し、風力発電の電力も、前記パワ−コントロ−ラ−（１１）で変換、又は前記バッテリ−（１２）に蓄電する事で、太陽光発電と風力発電の両方からの電力の集合電力都なる。
【００３８】  前記バッテリ−（１２）の電力は必要有れば前記パワ−コントロ−ラ−（１１）で目的電力と電圧に変換して供給される。
【００３９】  本発明は、太陽光都風力の、発電エネルギ−が異なる発電装置のコラボレ−ションで、従来思考の静止状態が常識の太陽光パネル（１）の発電を、風力発電の回転の世界に引込み、至極簡単なシンプル機構でより高度の発電をする構成とした。
【００４０】  「請求項２」を図２によって説明すれば、従来の一般的な、単なる陸上施設固定設置の前記太陽光パネル（１）を、表面積拡大の為に傘状太陽光パネル（１４）にした場合は、太陽光の受光角度から逆効果になるが、本発明は、太陽軌道による太陽受光面では、傘状中央突起の表側も裏側も、風力タ−ビン翼（７）の光反射面（６）によって反射照射して発電に有効であり、発電された電力は、前「請求項１」同様に処理されて使用する。
【００４１】  「請求項３」を図３によって説明すれば、前記風力タ−ビン翼（７）の装着角度によって、光反射面（６）の角度も変わる為、又、春夏秋冬の太陽軌道も一定でないことから、又、世界中の太陽軌道も地域的に大きく変化しており、使用場所と時期によって、最も適切な角度を選択する為に、手動、又は太陽追従電子回路によるタ−ビン翼傾斜変更機（１７）で自由に角度変化可能とした。
【００４２】  「請求項４」を図４によって説明すれば、太陽光パネル（１）が乗った前記パネル受け台（２）は、前記本体枠（９）に固定静止されるが、前記風力タ−ビン翼（７）はタ−ビン翼単独回転枠（１５）によって回転する。この目的は、前記風力タ−ビン翼（７）の負担軽減で風力発電の電力増大を図りながら、前記光反射面（６）の機能は保持して、前記太陽光パネル（１）への反射照射で太陽光発電効果も上昇する。
【００４３】  「請求項５」を図５によって説明すれば、太陽光パネル（１）の上面に必然的に付着する塵埃によって低下する発電効率を、定期的に手動又は自動で塵埃清掃除去の為、高圧洗浄散水装置（１６）が装着され、時には積雪にも有効である。
【図面の簡単な説明】
【００４４】
【図１】  太陽光及び風力合体発電の上視図及び側面断面図、一部斜視図。
【図２】  傘状太陽光パネルの上視図及び側面断面図、一部斜視図。
【図３】  タ−ビン翼傾斜変更機が装着された、上視図及び側面断面図、一部斜視図。
【図４】  風力タ−ビン翼回転負荷軽減のために太陽光パネル固定静止の上視図及び側面断面図、一部斜視図。
【図５】  回転する太陽光パネルの面上の半径長さに、高圧洗浄散水装置を設けた上視図及び側面断面図、一部斜視図。
【符号の説明】
【００４５】  １    太陽光パネル
２    パネル受け台
３    回転軸
４    回転軸受け
５    風圧受け面
６    光反射面
７    風力タ−ビン翼
８    電極スリップリング
９    本体枠
１０  電極端子
１１  パワ−コントロ−ラ−
１２  バッテリ−
１３  増速機付き発電機
１４  傘状太陽光パネル
１５  タ−ビン翼単独回転枠
１６  高圧洗浄散水装置
１７  タ−ビン翼傾斜変更機
【図１】
2014103131.tif 000003
【図２】
2014103131.tif 000004
【図３】
2014103131.tif 000005
【図４】
2014103131.tif 000006
【図５】
2014103131.tif 000007